(57)【要約】【課題】釣り糸を用いた不正行為（いわゆる釣り糸ゴト行為）を防止し、当該行為による不正遊技者の不正な利益の獲得を防止し得るパチンコ遊技機を提供すること。【解決手段】パチンコ遊技機１は、遊技球が入る入球口２２に近接配置された可動部材２７ａ，２７ｂと、上記入球口２２を開放する動作と閉塞する動作とを上記可動部材２７ａ，２７ｂに実行させる開閉制御手段１０１とを備え、上記可動部材２７ａ，２７ｂには糸状物を捕捉可能な切れ込みが形成される。【選択図】図６
2013009905.tif 000002
【特許請求の範囲】
【請求項１】
遊技球が入る入球口に近接配置された可動部材と、
前記入球口を開放する動作と閉塞する動作とを前記可動部材に実行させる開閉制御手段とを備え、
前記可動部材には糸状物を捕捉可能な切れ込みが形成される、パチンコ遊技機。
【請求項２】
前記開閉制御手段は、前記可動部材を回動軸を中心に回動させることによって前記入球口を開放及び閉塞させる、請求項１に記載のパチンコ遊技機。
【請求項３】
前記回動軸は、前記可動部材の基端部近傍に設けられ、
前記切れ込みは、前記可動部材の先端部に形成される、請求項２に記載のパチンコ遊技機。
【請求項４】
前記切れ込みは、前記可動部材の前記先端部から前記基端部に向かう方向に形成される、請求項３に記載のパチンコ遊技機。
【請求項５】
前記切れ込みは、前記可動部材の前記先端部から前記基端部に向かうほど当該切れ込みの開口幅が狭くなる形状を有する、請求項４に記載のパチンコ遊技機。
【請求項６】
前記切れ込みは、前記可動部材が回動する方向に当該可動部材を貫通して形成される、請求項２乃至５のいずれかに記載のパチンコ遊技機。
【請求項７】
前記切れ込みは、前記開閉制御手段によって前記入球口を閉塞させた前記可動部材が当該入球口を開放させるために回動する向きに向かうほど当該切れ込みの開口幅が狭くなる形状を有する、請求項２乃至５のいずれかに記載のパチンコ遊技機。
【発明の詳細な説明】
【技術分野】
【０００１】
本発明は、遊技機に関する。具体的には、本発明は、不正防止機能を備えるパチンコ遊技機に関する。
【背景技術】
【０００２】
近年、パチンコ遊技機（例えば、特許文献１に記載のもの）において、釣り糸を取り付けた不正遊技球を上皿から遊技領域へ送り込んで不正に賞球を得たり、あるいは不正に抽選を始動させたりといった不正行為（いわゆる、釣り糸ゴト行為）の発生が問題となっている。
【先行技術文献】
【特許文献】
【０００３】
【特許文献１】特開２０１０−１１０５２８号公報
【発明の概要】
【発明が解決しようとする課題】
【０００４】
多くの場合、上記釣り糸ゴト行為には、視認され難い透明な釣り糸が使用されるため、ホールの店員が釣り糸ゴト行為を発見するのは容易ではない。また、不正遊技球が排出口を介して遊技領域の外に排出されてしまうと、釣り糸ゴト行為を行った不正遊技者を特定することは困難である。
【０００５】
さらに、パチンコ遊技機の中には、遊技球が電動チューリップ（いわゆる、電チュー）の直下に配置された始動口に入賞すると、遊技球が他の入賞口や始動口に入賞する場合よりも遊技者にとって有利な遊技状態を創出するものが多い。このため、このようなパチンコ遊技機において、電チューの直下に配置された始動口への不正入賞を狙った釣り糸ゴト行為が行われると、他の入賞口や始動口を狙った釣り糸ゴト行為が行われる場合に比べて不正遊技者が不正な利益を獲得しやすくなる。この結果、ホール（パチンコ店）の被害が大きくなるといった問題がある。
【０００６】
それ故に、本発明の目的は、上記した釣り糸ゴト行為を防止し、当該行為による不正遊技者の不正な利益の獲得を防止するパチンコ遊技機を提供することである。
【課題を解決するための手段】
【０００７】
本発明は、上記の課題を解決するために以下の構成を採用した。なお、本欄における括弧内の参照符号や補足説明等は、本発明の理解を助けるために、後述する実施形態との対応関係を示したものであって、本発明を何ら限定するものではない。
【０００８】
本実施形態に係るパチンコ遊技機（１）は、遊技球が入る入球口（２２）に近接配置された可動部材（２７ａ、２７ｂ）と、上記入球口（２２）を開放する動作と閉塞する動作とを上記可動部材（２７ａ、２７ｂ）に実行させる開閉制御手段（１０１）とを備え、上記可動部材（２７ａ、２７ｂ）には糸状物を捕捉可能な切れ込みが形成される。
【０００９】
また、上記開閉制御手段（１０１）は、上記可動部材（２７ａ、２７ｂ）を回動軸を中心に回動させることによって上記入球口（２２）を開放及び閉塞させてもよい。
【００１０】
また、上記回動軸は、上記可動部材（２７ａ、２７ｂ）の基端部近傍に設けられ、上記切れ込みは、上記可動部材（２７ａ、２７ｂ）の先端部に形成されてもよい。
【００１１】
また、上記切れ込みは、上記可動部材（２７ａ、２７ｂ）の先端部から基端部に向かう方向（図３のＹ軸正方向）に形成されてもよい。
【００１２】
また、上記切れ込みは、上記可動部材（２７ａ、２７ｂ）の先端部から基端部（図３のＹ軸正方向）に向かうほど当該切れ込みの開口幅が狭くなる形状を有してもよい。
【００１３】
また、上記切れ込みは、上記可動部材（２７ａ、２７ｂ）が回動する方向（図３、図７のＺ軸方向）に当該可動部材（２７ａ、２７ｂ）を貫通して形成されてもよい。
【００１４】
また、上記切れ込みは、上記開閉制御手段（１０１）によって上記入球口（２２）を閉塞させた上記可動部材（２７ａ、２７ｂ）が当該入球口（２２）を開放させるために回動する向き（図３、図１０のＺ軸正方向）に向かうほど当該切れ込みの開口幅が狭くなる形状を有してもよい。
【発明の効果】
【００１５】
本発明によれば、上記した釣り糸ゴト行為を防止し、当該行為による不正遊技者の不正な利益の獲得を防止するパチンコ遊技機を提供することができる。
【図面の簡単な説明】
【００１６】
【図１】パチンコ遊技機１の一例を示す概略正面図
【図２】パチンコ遊技機１の制御装置の構成の一例を示すブロック図
【図３】開姿勢にある電動チューリップ２７の一例を示す概略図
【図４】閉姿勢にある電動チューリップ２７の一例を示す概略図
【図５】羽根部材２７ａの先端部の拡大斜視図
【図６】電動チューリップ２７が姿勢変化する様子を示す模式図
【図７】釣り糸が切れ込み形成部に捕捉される様子を示す模式図
【図８】釣り糸が切れ込み形成部に捕捉された後の様子を示す模式図
【図９】変形例における切れ込み形成部の一例を示す概略図
【図１０】変形例における切れ込み形成部の一例を示す概略図
【図１１】変形例における切れ込み形成部の一例を示す概略図
【図１２】変形例における切れ込み形成部の一例を示す概略図
【発明を実施するための形態】
【００１７】
（パチンコ遊技機の概略構成）
まず、図１を参照しつつ、パチンコ遊技機１の概略構成について説明する。図１は、パチンコ遊技機１の概略正面図である。図１に示されるように、パチンコ遊技機１は、遊技球が打ち出される遊技盤２と、遊技盤２を囲む枠部材３とを備えている。枠部材３は、遊技盤２の表面側（図１の紙面手前側）に遊技盤２と所定の間隔を隔てて平行に配置された透明なガラス板（図示省略）を支持する部材であり、遊技盤２に対して開閉可能に構成されている。
【００１８】
枠部材３に支持されたガラス板と遊技盤２との間には、遊技球が移動する遊技領域２０が形成されている。遊技者がハンドル３１を握ってレバー３２を時計回りに回転させると、皿３９に溜められた遊技球がハンドル３１の回転角度に応じた打球力で発射装置（図示省略）から発射される。発射された遊技球は、遊技領域２０の上部位置へ案内され、遊技領域２０に配置された遊技クギ（図示省略）や風車（図示省略）等に接触することでその移動方向を変化させながら遊技盤２に沿って落下する。
【００１９】
遊技盤２または枠部材３には、各種演出を行う液晶表示器５、盤ランプ８、枠ランプ３６、可動役物７、およびスピーカ部３５などが設けられている。
【００２０】
遊技領域２０には、入賞や抽選に関する役物として、第１始動口２１、第２始動口２２、大入賞口２３、普通入賞口２４、およびゲート２５が設けられている。パチンコ遊技機１では、第１始動口２１、第２始動口２２、大入賞口２３、または普通入賞口２４に遊技球が入賞すると、入賞した場所に応じた個数の賞球が皿３９に払い出される。なお、入賞しなかった遊技球は、排出口２６を介して遊技領域２０の外に排出される。
【００２１】
第１始動口２１は、常時開放されている始動口である。この第１始動口２１に遊技球が入賞すると、大当たり抽選としての第１特別図柄抽選が実行される。一方の第２始動口２２は、通常は遊技球の進入経路が閉塞されており、普通電動役物としての電動チューリップ２７が作動している間だけ開放される始動口である。この第２始動口２２に遊技球が入賞すると、大当たり抽選としての第２特別図柄抽選が実行される。これらの第１特別図柄抽選又は第２特別図柄抽選に当選することで大入賞口２３が開放され、遊技者が多量の賞球を得ることが可能な大当たり遊技を楽しむことができる。なお、以下の説明では、第１特別図柄抽選と第２特別図柄抽選とを総称して「特別図柄抽選」と呼称するものとする。
【００２２】
遊技領域２０の所定位置（本実施形態では遊技盤２を正面から見て液晶表示器５の左側の位置）に、ゲート２５が設けられている。このゲート２５を遊技球が通過すると、電動チューリップ２７の開閉抽選（普通図柄抽選）が実行される。電動チューリップ２７は、左右対称の一対の羽根部材２７ａ、２７ｂ（図３参照）からなり、これらの羽根部材２７ａ、２７ｂの間に形成された第２始動口２２を閉塞する閉姿勢（図４参照）と、当該第２始動口２２を開放して第２始動口２２に遊技球を案内する開姿勢（図３参照）との間で姿勢変化可能に構成されている。普通図柄抽選に当選することで、この電動チューリップ２７が作動して第２始動口２２が一時的に開放される。
【００２３】
ところで、本実施形態に係るパチンコ遊技機１は、特別図柄抽選や普通図柄抽選の当選確率を上昇させず、普通図柄の変動時間の短縮も行わない通常遊技状態において普通図柄抽選に当選した場合に、電動チューリップ２７に第１動作又は第２動作を行わせることとしている。ここで、第１動作は、第２始動口２２に遊技球が入賞可能に第２始動口２２を開放する動作であり、本実施形態では、第２始動口２２を開放した開姿勢を０．１秒間維持した後に閉姿勢に戻る動作を２回繰り返す動作である。また、第２動作は、第１動作が行われた場合よりも多くの遊技球が第２始動口２２に入賞可能に第２始動口２２を開放する動作であり、本実施形態では、第２始動口２２を開放した開姿勢を５秒間維持した後に閉姿勢に戻る動作を１回行う動作である。
【００２４】
一方、パチンコ遊技機１は、例えば、第１始動口２１に入賞した遊技球で大当たりした場合の３５％が１６Ｒ（ラウンド）確変大当たりとなるのに対して、第２始動口２２に入賞した遊技球で大当たりした場合の６５％が１６Ｒ確変大当たりとなるというように、第１始動口２１に遊技球が入賞するよりも第２始動口２２に遊技球が入賞した方が遊技者にとって有利になるように構成されている。
【００２５】
このように、電動チューリップ２７の第２動作が行われた場合には第１動作が行われる場合に比べて第２始動口２２がより長い期間開放され、更に、第２始動口２２に遊技球が入賞して第２特別図柄抽選が行われると、第１特別図柄抽選が行われるときよりも大当たりとなった場合に遊技者にとって有利になるという状況がある。したがって、このようなパチンコ遊技機１においては、不正遊技者が釣り糸ゴト行為によって、不正遊技球を第２始動口２２に不正に入賞させると、ホールの被害がより大きくなることがある。
【００２６】
［パチンコ遊技機１の制御装置の構成］
次に、図２を参照しつつ、パチンコ遊技機１の制御装置について説明する。ここで、図２は、パチンコ遊技機１の制御装置の構成例を示すブロック図である。パチンコ遊技機１の制御装置は、遊技盤２の裏面側（図１の紙面奥側）に設けられ、図２に示されるように、遊技制御部１００、演出制御部１３０、画像音響制御部１４０、ランプ制御部１５０等を備えている。
【００２７】
［遊技制御部１００の構成］
遊技制御部１００は、ＣＰＵ１０１、ＲＯＭ１０２、及びＲＡＭ１０３を備えている。ＣＰＵ１０１は、ＲＯＭ１０２に記憶されたプログラムに基づいて、内部抽選や当選の判定等の払い出し賞球数に関連する各種の演算処理を行う。ＲＡＭ１０３は、ＣＰＵ１０１が上記プログラムを実行する際に用いる各種データを一時的に記憶する記憶領域又はデータ処理などの作業領域として使用される。
【００２８】
この遊技制御部１００には、第１始動口スイッチ（ＳＷ）１１１、第２始動口スイッチ（ＳＷ）１１２、電動チューリップ開閉部１１３、ゲートスイッチ（ＳＷ）１１４、大入賞口スイッチ（ＳＷ）１１５、大入賞口制御部１１６、及び普通入賞口スイッチ（ＳＷ）１１７が接続されている。
【００２９】
第１始動口スイッチ１１１は、遊技球が第１始動口２１に入賞したことを検出してその検出信号を遊技制御部１００に出力する。第２始動口スイッチ１１２は、遊技球が第２始動口２２に入賞したことを検出してその検出信号を遊技制御部１００に出力する。電動チューリップ開閉部１１３は、普通図柄抽選に当選した場合の遊技制御部１００からの指示に基づいて、電動チューリップ２７の一対の羽根部材２７ａ、２７ｂを姿勢変化させるための電動ソレノイドを作動させる。ゲートスイッチ１１４は、遊技球がゲート２５を通過したことを検出してその検出信号を遊技制御部１００に出力する。大入賞口スイッチ１１５は、遊技球が大入賞口２３に入賞したことを検出してその検出信号を遊技制御部１００に出力する。大入賞口制御部１１６は、特別図柄抽選に当選した場合の遊技制御部１００からの指示に基づいて大入賞口２３を開放してから閉塞するラウンドを繰り返す。この大入賞口制御部１１６は、大入賞口２３のプレートを作動させる電動ソレノイド等を有して構成されている。普通入賞口スイッチ１１７は、遊技球が普通入賞口２４に入賞したことを検出してその検出信号を遊技制御部１００に出力する。
【００３０】
遊技制御部１００のＣＰＵ１０１は、第１始動口スイッチ１１１からの検出信号が入力されたタイミングで取得した乱数を用いて第１特別図柄抽選を実行し、第２始動口スイッチ１１２からの検出信号が入力されたタイミングで取得した乱数を用いて第２特別図柄抽選を実行する。そして、特別図柄抽選に当選すると、大入賞口制御部１１６を介して大入賞口２３の開閉を制御する。また、ＣＰＵ１０１は、特別図柄抽選の結果に応じて決定した特別図柄抽選の当選確率の変動設定や、特別図柄の変動時間の短縮設定を示すデータ、第１始動口２１又は第２始動口２２に遊技球が入賞したことを通知するための情報等を演出制御部１３０へ送信する。
【００３１】
ＣＰＵ１０１は、ゲートスイッチ１１４から入力されたタイミングで取得した乱数を用いて普通図柄抽選を実行する。そして、この普通図柄抽選に当選すると、電動チューリップ開閉部１１３を介して電動チューリップ２７の動作を制御する。具体的には、ＣＰＵ１０１は、パチンコ遊技機１が通常遊技状態又は潜伏遊技状態のときに普通図柄抽選に当選した場合、第２始動口２２を開放した開姿勢を０．１秒間維持してから閉姿勢に戻る動作を２回繰り返す第１動作、又は第２始動口２２を開放した開姿勢を５秒間維持してから閉姿勢に戻る動作を１回行う第２動作を電動チューリップ開閉部１１３を介して電動チューリップ２７に実行させる。一方、パチンコ遊技機１が確変遊技状態又は時短遊技状態のときに普通図柄抽選に当選した場合、第２始動口２２を開放した開姿勢を１．８秒間維持してから閉姿勢に戻る動作を３回繰り返す第３動作を電動チューリップ開閉部１１３を介して電動チューリップ２７に実行させる。なお、パチンコ遊技機１が確変遊技状態又は時短遊技状態のときは、通常遊技状態の時に比べて、普通図柄の変動時間が短縮されると共に、普通図柄抽選に当選する確率が上昇する。このように、パチンコ遊技機１の遊技状態が確変遊技状態又は時短遊技状態である場合には電動チューリップ２７が頻繁に開姿勢に姿勢変化されて第２始動口２２への遊技球の入賞がサポートされる。このため、確変遊技状態又は時短遊技状態のときの電動チューリップ２７の動作は、「電チューサポート」或いは「電サポ」と呼ばれる。
【００３２】
ＣＰＵ１０１は、第１始動口スイッチ１１１、第２始動口スイッチ１１２、大入賞口スイッチ１１５、又は普通入賞口スイッチ１１７からの検出信号が入力されると、遊技球が入賞した場所に応じた所定数の賞球の払い出しを不図示の払出制御部に指示し、払出制御部からの情報に基づいて、払い出す賞球の個数を管理する。
【００３３】
［演出制御部１３０の構成］
演出制御部１３０は、遊技制御部１００から送られる特別図柄抽選の結果等を示すデータや、電動チューリップ２７の動作パターンを示す情報等に基づいて、演出内容を設定する。また、演出制御部１３０は、設定した演出内容の演出の実行を指示するコマンドを画像音響制御部１４０及びランプ制御部１５０へ送信する。
【００３４】
［画像音響制御部１４０の構成］
画像音響制御部１４０は、演出制御部１３０からの指示に基づいて演出内容を表現する画像を制御する際の演算処理を行う。画像音響制御部１４０は、液晶表示器５に表示される演出画像を生成、出力し、スピーカ３５から出力される音響データを生成、出力する。
【００３５】
［ランプ制御部１５０の構成］
ランプ制御部１５０は、盤ランプ８や枠ランプ３６、及び可動役物７の動作を制御する際の演算処理を行う。演出制御部１３０からの指示に対応する発光パターンデータを読み出して、盤ランプ８、枠ランプ３６、及び役物ランプの発光を制御する。また、演出制御部１３０からの指示に対応する動作パターンデータを読み出して、可動役物７の動作を制御する。
【００３６】
（遊技機における不正防止機構）
次に、本実施形態における電動チューリップ２７の構造について詳細に説明する。ところで、前述したように、本実施形態に係る遊技機１では、電動チューリップ２７の直下に配置された第２始動口２２に不正に入賞すると、通常遊技状態であっても他の入賞口や始動口に入賞する場合よりも遊技者にとって有利な遊技状態が創出されることがある。したがって不正遊技者は、電動チューリップ２７が開姿勢の状態になったタイミングを狙って、釣り糸が取り付けられた不正遊技球を第２始動口２２に入賞させようとする。さらに、一度第２始動口２２に入賞させた後、釣り糸の一端を操作して釣り糸に取り付けられた不正遊技球を上下に動かすことで当該不正遊技球を第２始動口２２に出し入れし、不正入賞（不正行為）を繰り返す。電動チューリップ２７が開姿勢の状態であれば、上記不正行為がなくても第２始動口２２への遊技球の入賞は可能となるが、電動チューリップ２７が閉姿勢の状態であり、通常の遊技球は入賞不可能であるにもかかわらず、上記不正行為によって第２始動口２２への入賞が検知され有利な遊技状態が不正に創出された結果、大当たりに発展してしまうと、ホールにとっては大きな被害となる。このため、電動チューリップ２７が閉姿勢の状態において上記不正行為を防止できることが重要となる。
【００３７】
本実施形態に係る電動チューリップ２７は、上記した不正行為を防止する不正防止機構を備えた構造体として実装される。前述したように、電動チューリップ２７は、開姿勢と閉姿勢との間でその姿勢が変化することによって、遊技球の第２始動口２２への入賞を可能にしたり、その入賞を抑止したりする。本実施形態に係る電動チューリップ２７は、この姿勢変化と、電動チューリップ２７が有する不正防止機構によって、釣り糸ゴト行為を防止する。
【００３８】
図３は、開姿勢（第２始動口２２を開放する姿勢）にある電動チューリップ２７の一例を示し、図３（ａ）はその概略正面斜視図であり、図３（ｂ）はそれを上側から見た概略図である。図４は、閉姿勢（第２始動口２２を閉塞する姿勢）にある電動チューリップ２７の一例を示し、図４（ａ）はその概略正面斜視図であり、図４（ｂ）はそれを上側から見た概略図である。なお、本発明と直接関係しない機構については、その図示等を省略している。
【００３９】
図３（ａ）に示されるように、電動チューリップ２７は、左右一対の羽根部材２７ａ、２７ｂを備える。また、羽根部材２７ａ、２７ｂは、遊技球が通過可能な間隔を置いて左右に対向した状態で配置され、相反する方向に支軸２８ａ、２８ｂを中心に回動して開く（電動チューリップ２７が開姿勢になる）とともに、元の位置まで回動して閉じる（電動チューリップ２７が閉姿勢になる；図４（ａ）参照）ことが可能に構成されている。具体的には、これらの羽根部材２７ａ、２７ｂの基端部近傍には、基端部を貫通する軸孔（図示せず）が設けられており、この軸孔の直径よりもやや小さい円筒状の支軸２８ａ、２８ｂが当該軸孔に挿し込まれる。このことにより、羽根部材２７ａ、２７ｂは支軸２８ａ、２８ｂを介して遊技盤２に取り付けられ、当該支軸２８ａ、２８ｂを中心に回動可能に構成される。なお、羽根部材２７ａ、２７ｂは、遊技制御部１００からの指示に基づいて電動ソレノイドが作動されることによって、回動可能となる。
【００４０】
電動チューリップ２７が開姿勢（図３参照）にあるときには、第２始動口２２は開放されているため、遊技球は入賞可能となり、電動チューリップ２７が閉姿勢（図４参照）にあるときには、第２始動口２２は、羽根部材２７ａ、２７ｂによって閉塞されているため、遊技球の第２始動口２２への入賞は抑止される。
【００４１】
次に電動チューリップ２７の不正防止機構について図３及び図５を参照しつつ説明する。ここで図５は、図３に示される羽根部材２７ａの先端部を拡大した拡大斜視図である。電動チューリップの羽根部材２７ａ、２７ｂは本実施形態では左右対称に配置される同一の構成品であるため、左に配置された羽根部材２７ａについてのみ説明をする。図３（ｂ）に示されるように、羽根部材２７ａの先端には切れ込み形成部が形成されている。ここで説明の便宜のため、羽根部材２７ａに固定されたローカル座標軸Ｘ、Ｙ、Ｚ軸を設定する。具体的には、図３（ａ）、図３（ｂ）に示されるように、羽根部材２７ａの奥側（遊技者の正面から見えない側）から手前側（遊技者の正面に見える側）に向かう方向にＸ軸を設定し、羽根部材２７ａの先端部から基端部に向かう方向にＹ軸を設定し、羽根部材２７ａの開姿勢の上面から下面に向かう方向にＺ軸を設定する。
【００４２】
羽根部材２７ａの切れ込み形成部は、羽根部材２７ａの先端部に形成される。切れ込み形成部には複数の切れ込みが形成され、その切れ込みは、羽根部材２７ａの開姿勢の上面から見て（ＸＹ平面において）Ｙ軸正方向に切れ込んだＶ字型の形状を有し、羽根部材２７ａの開姿勢の上面から下面の方向（Ｚ軸方向）に貫通するように形成される。詳細には後述するが、羽根部材２７ａの先端に形成されるＶ字型の切れ込みは、釣り糸を取り付けた不正遊技球を用いた不正操作が行われた際、当該釣り糸を食い込ませて不正遊技者による当該不正操作を防止するために設けられている。
【００４３】
図５に示されるように、羽根部材２７ａの先端に形成された切れ込み形成部におけるＶ字型の切れ込みは、羽根部材２７ａの先端が最も広い開口幅となるように形成され、基端に向かうにつれ（Ｙ軸正方向に向かうにつれ）、その開口幅がＶ字型に狭くなるように形成される。また、この先端の最も広い開口幅には、不正に用いられる釣り糸の想定されている直径よりも大きな値である最広開口幅Ｗが設定される。また、Ｖ字型の切れ込みのＶ字開口角度θは、できるだけ小さな鋭角にすることによって上記釣り糸が当該Ｖ字型の切れ込み内に食い込みやすくすることが望ましい。このような最広開口幅ＷおよびＶ字開口角度θと羽根部材２７ａのサイズとを考慮して、羽根部材２７ａの先端の切れ込み形成部に形成されるＶ字型の切れ込みの数を設定すればよい。なお、本実施形態においては、１つの切れ込みの開口幅はＺの値に依存せず同じ値であり（羽根部材２７ａの開状態の上面から下面にかけて同じ開口幅である）、切れ込みの深さ（Ｙ軸方向の切れ込みの長さ）もＺの値に依存せず同じ値である（羽根部材２７ａの開状態の上面から下面にかけて同じ深さである）。また、本実施形態では、前述した切れ込みと同一形状の切れ込みがＸ軸方向に所定の間隔を隔ててＺ軸と略平行になるように複数並んで羽根部材２７ａの切れ込み形成部を形成している。この場合、同一の型で複数の切れ込みを形成することができるので切れ込みの形成が容易になる。ただし、羽根部材２７ａの切れ込み形成部は、異なる形状のＶ字型の切れ込みを複数形成することによって形成されてもよい。
【００４４】
次に、前述のような構成を有する電動チューリップ２７が、不正防止機構として機能する際の動作例を説明する。図６は、不正防止機構を備えた電動チューリップ２７が姿勢変化をすることによって釣り糸が切れ込み形成部に食い込む様子を模式的に描いた図である。また、図７は、釣り糸が切れ込みの１つに食い込む様子を拡大して描いた拡大図である。図６（ａ）に示されるように、電動チューリップ２７（ここでは、一方の羽根部材２７ａのみを記載）が開姿勢の状態であるときに、不正遊技者は釣り糸に取り付けられた不正遊技球を第２始動口２２に不正に入賞させる。一般に、第２始動口２２の直上には第１始動口２１が配置されているため、不正遊技者が第２始動口２２に不正遊技球を入賞させるためには、遊技領域２０に配置された遊技クギなどの障害物との接触を経て、第２始動口２２の左上方又は右上方から入賞させることとなり、第２始動口２２の直上から入賞させることはできない。したがって、不正遊技球を第２始動口２２に入賞させるように釣り糸によって誘導した場合には、不正遊技球の誘導の経路（すなわち、釣り糸の移動経路）は、第２始動口２２の直上から左又は右に偏ったものとなる。図６（ａ）は、不正遊技球が左上方から誘導されて第２始動口２２に不正入賞している一例を示している。
【００４５】
その後、所定のタイミングで、電動チューリップ２７が閉姿勢に姿勢変化するために、羽根部材２７ａが支軸２８ａを中心に時計回りに回動を開始する。このとき、釣り糸は第２始動口２２の左上方に延びているため、羽根部材２７ａの先端部に形成された切れ込み形成部が釣り糸に接触する（図６（ｂ）、図７（ａ）参照）。そして、切れ込み形成部に設けられた１つのＶ字型の切れ込みの先端部（釣り糸の直径よりも広い開口部を有する部分）において、釣り糸は切れ込みの内部に嵌る。この際、釣り糸には遊技球の重力による下向きの力と、不正遊技者が遊技球を上下に動かすために釣り糸の一端を押し引きして加えた上向きの力との両者の力により、一定のテンション（張力）が加わっている。そのため、釣り糸は弛んだ状態よりも切れ込みの内部に嵌りやすい状態となっている。また、切れ込みは、Ｙ軸方向に開口を有するとともに先端部においてＺ軸方向にも貫通して開口しているため、釣り糸が最初に羽根部材２７ａに接触したときに、より嵌り易い構造となっている。
【００４６】
さらに回動が進むと、羽根部材２７ａは、第２始動口２２から左上方に延びて配置された釣り糸を横切るように回動する。このとき、釣り糸は右方に行くほど下方に配置されているので、羽根部材２７ａが、回動することによって右方に変位すると、釣り糸は、より切れ込みの開口幅が狭くなる方向（Ｙ軸正方向）に誘導され、例えば図７（ｂ）に示される食い込み箇所Ａにおいて切れ込みに食い込み固定される。このことにより、釣り糸が切れ込み形成部の内部で捕捉される（図６（ｃ）、図７（ｂ）参照）。
【００４７】
前述した釣り糸が切れ込みに食い込んで捕捉された状態は、当該釣り糸の一端を押し引きしても解消することは難しい。例えば、前述した釣り糸が切れ込みに食い込んだ状態で当該釣り糸の一端を押して当該釣り糸を弛ませるような操作をしたとしても、釣り糸が切れ込みから外れるような力が当該釣り糸の食い込み箇所Ａに伝わるようなことがないため、上記食い込んだ状態が解消することはできない。また、不正遊技球を第２始動口２２に入賞させるときの釣り糸が遊技領域２０上で描く移動経路は、遊技クギ等の障害物との接触を経た後に第２始動口２２に入賞する複雑な経路となることが多い。そのため、釣り糸の一端を引いたとしても、その力の方向は、切れ込みの開口幅が大きくなる方向（すなわちＹ軸負方向）に１００％伝わることはなく、食い込み箇所ＡにおいてＹ軸負方向に大きな力を加えることが難しい。また、あまりに大きな力を加えると、釣り糸が食い込み箇所によって切れる場合がある。この場合には、不正遊技球は釣り糸から切れて落下することになり、その後不正行為を継続することが不可能になる。また、釣り糸が首尾よく食い込み箇所Ａから抜けたとしても、電動チューリップ２７は閉姿勢の状態であるため、不正遊技球は閉じた電動チューリップ２７と第２始動口２２によって囲まれる領域から外に出ることはできない（図８（ａ）参照）。また、この状態においても、釣り糸は切れ込みの内部に嵌っているため、釣り糸を弛ませて、第２始動口２２に不正入賞させようとすると、遊技球の重力によって釣り糸は下方に誘導されて結局食い込み箇所Ａに食い込んでしまう（図８（ｂ）参照）。したがって、いずれにしても不正遊技者は、不正行為を継続することができない。
【００４８】
なお、電動チューリップ２７が開姿勢から閉姿勢になる時には、釣り糸にテンションをかけないで（弛ませて）切れ込みに釣り糸が捕捉されることを逃れるということも考えられる。しかし、電動チューリップ２７が閉姿勢であるときに、釣り糸の一端を押し引きして、その他端に取り付けられた不正遊技球を上下に動かして第２始動口２２へ継続的に不正入賞させようとするときには釣り糸にはテンションがかかる。このときには、前述したように、第２始動口２２の直上から左右のいずれかに偏った方向にテンションがかかるため、当該不正操作を行おうとすれば、釣り糸は、羽根部材２７ａ、２７ｂのいずれかの切れ込み形成部に捕捉され、不正行為を継続することができない。
【００４９】
このように、本発明の不正防止機構を有する電動チューリップ２７によれば、釣り糸が取り付けられた不正遊技球を用いた不正が行われた場合、当該釣り糸が、回動する電動チューリップ２７の先端部に設けられた切れ込み形成部に食い込むため、当該不正を防止することができる。
【００５０】
また、本発明の不正防止機構を有する電動チューリップ２７によれば、少なくとも電動チューリップ２７が閉姿勢の状態であるときに不正入賞させることを防止することができる。したがって、前述したように第２始動口２２に不正に入賞すると、他の入賞口や始動口に入賞する場合よりも遊技者にとって有利な遊技状態が創出されるパチンコ遊技機１において、ホールの被害をより効果的に防止することができる。
【００５１】
［変形例１］
上記実施形態では、１つの切れ込みの深さ（Ｙ軸方向の切れ込みの長さ）はＺに依存せず同じ値であるとした。しかし、これに代え、例えば図９に示されるように、１つの切れ込みの深さはＺが大きくなるほど浅くなる（羽根部材２７ａの開状態の上面から下面にかけて浅くなる）として、その分開口幅のＹ軸方向の漸減率を高くしてもよい。この場合、切れ込みの開口幅はＺが大きくなる程、切れ込みの深さに比して開口幅が狭くなる。このため、釣り糸は、羽根部材２７ａの回動によって、最初に食い込み箇所Ａにおいて切れ込みに食い込んだ後に、さらに切れ込み箇所Ｂにおいても切れ込みに食い込むことがある（あるいは、その順序は反対であってもよい）。したがって、食い込み箇所が１つであるときよりも、釣り糸がより強固に切れ込み形成部に捕捉されるという効果を奏することが期待される。
【００５２】
［変形例２］
上記実施形態では、１つの切れ込みの開口幅はＺの値に依存せず同じ幅であるとし、Ｙ軸正方向に開口幅が狭くなるＶ字型の切れ込みであるとした。しかし、これに代え、例えば図１０に示されるように、１つの切れ込みの開口幅はＺの値が大きくなるほど狭くなる（羽根部材２７ａの開状態の上面から下面にかけて狭くなる）Ｖ字型の切れ込みであり、Ｚ軸方向に貫通せず、Ｙ軸方向には同じ開口幅を有する切れ込みとしてもよい。この場合、釣り糸は、羽根部材２７ａの回動によって、例えば食い込み箇所Ｃにおいて切れ込みに食い込んで切れ込み形成部に捕捉される。このとき、釣り糸は第２始動口２２の左上方に延びているため、不正遊技者が釣り糸の一端を引いても、その力の大半は食い込み箇所Ｃにおいて左上方の向きに働き、さらに釣り糸が食い込み箇所Ｃに食い込むことになる。このことにより、釣り糸が不正遊技者の操作によっても抜けにくく、より強固に切れ込み形成部に捕捉されるという効果を奏することが期待される。
【００５３】
［変形例３］
変形例２において、切れ込みは、さらにＹの値が大きくなるほど狭くなる（羽根部材２７ａの先端部から基端部にかけて狭くなる）Ｖ字型の切れ込みであるとしてもよい。すなわち、切れ込みはＹ軸正方向及びＺ軸正方向の両方向においてＶ字型の切れ込み形状を有する。この場合、釣り糸は、羽根部材２７ａの回動によって、最初に食い込み箇所Ｃにおいて切れ込みに食い込んだ後に、さらに食い込み箇所Ａにおいても切れ込みに食い込むことがある（あるいは、その順序は反対であってもよい）。また、釣り糸は第２始動口２２の左上方に延びているため、不正遊技者が釣り糸の一端を引いても、その力の大半は食い込み箇所Ｃにおいて左上方の向きに働き、さらに釣り糸が食い込み箇所Ｃに食い込むことになる。このことから、食い込み箇所が１つであるときよりも、釣り糸がより強固に切れ込み形成部に捕捉されるとともに、不正遊技者の操作によっても抜けにくいという効果を奏することが期待される。
【００５４】
［その他の変形例］
なお、上記実施形態では、前述した不正行為には釣り糸が用いられるものとしたが、これに限られるものではなく、ピアノ線などの糸状の物が用いられるものとしても本発明が成立することは言うまでもない。
【００５５】
また、上記実施形態では、切れ込み形成部における切れ込みの形状はＶ字型であるとしたが、釣り糸を捕捉できる形状であればこれに限られるものではない。例えば、図１１に示されるように、所定の深さまでは一定の開口幅であり、当該所定の深さを超えてから先鋭形状となる（鉛筆型の）形状であってもよい。この場合、Ｖ字型の切れ込みよりも釣り糸に接触する際の開口幅が大きいため、釣り糸が最初に切れ込み形成部に嵌り易いという利点がある。
【００５６】
また、上記実施形態では、電動チューリップ２７の先端部の形状は多角形型の形状として例示（図示）したが、先端部に切れ込み形成部が形成される電動チューリップ２７であれば、このような形状に限られるものではない。例えば、電動チューリップ２７の先端部の形状は曲面形状であり、この先端部に切れ込みが形成されるものとしてもよい。この場合、多角形型の形状の場合よりも遊技球との接触によって電動チューリップが摩耗しにくいという利点がある。
【００５７】
また、上記実施形態では、電動チューリップ２７は左右対称の同一の羽根部材（羽根部材２７ａ、２７ｂ）からなるとしたが、それぞれの羽根部材に切れ込み形成部が形成されていればこれに限られるものではなく、左右で異なる羽根部材が用いられてもよい。
【００５８】
また、上記実施形態では、パチンコ遊技機１は、通常遊技状態であっても、第１始動口２１に遊技球が入賞するよりも第２始動口２２に遊技球が入賞した方が遊技者にとって有利になるように構成されているものとした。このような場合、本実施形態に係る電動チューリップ２７は第２始動口２２への不正入賞を狙った不正行為による不正な利益獲得を防止するのに特に効果を奏するが、このような構成を有しないパチンコ遊技機１に本発明が適用されてもよい。このような場合であっても、電動チューリップ２７が閉姿勢であるにもかかわらず不正遊技球が継続して不正入賞するという不正行為を防止することができるので、不正遊技者が不正な利益を獲得することを防止することができる。
【００５９】
また、上記実施形態では、電動チューリップ２７の羽根部材の先端に切れ込み形成部が形成されるとした。しかし、電動チューリップ２７の羽根部材に限られず、所定のタイミングで可動する可動部材に切れ込み形成部が形成されるものとしてもよい。例えばアタッカーに本発明が適用されてもよい。
【００６０】
また、前述したパチンコ遊技機１に設けられている各構成要素の形状、数、および設置位置等は、単なる一例に過ぎず他の形状、数、および設置位置であっても、本発明を実現できることは言うまでもない。
【００６１】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。本発明は、特許請求の範囲によってのみその範囲が解釈されるべきであることが理解される。また、当業者は、本発明の具体的な実施形態の記載から、本発明の記載および技術常識に基づいて等価な範囲を実施することができることが理解される。また、本明細書において使用される用語は、特に言及しない限り、当該分野で通常用いられる意味で用いられることが理解されるべきである。したがって、他に定義されない限り、本明細書中で使用される全ての専門用語および技術用語は、本発明の属する分野の当業者によって一般的に理解されるのと同じ意味を有する。矛盾する場合、本明細書（定義を含めて）が優先する。
【００６２】
［上記実施形態における作用効果］
以下、上記実施形態における作用効果について説明する。なお、特許請求の範囲の記載を解釈する際に、特許請求の範囲の記載によってのみその範囲が解釈されるべきであることが理解され、特許請求の範囲の記載と本作用効果の記載とが矛盾する場合には、特許請求の範囲の記載が優先する。また、本作用効果における括弧内の記載は、本発明の理解を助けるために上記実施形態との対応関係を示したものであって、本発明の範囲を何ら限定するものではない。
【００６３】
本実施形態に係るパチンコ遊技機（１）は、遊技球が入る入球口（２２）に近接配置された可動部材（２７ａ、２７ｂ）と、上記入球口（２２）を開放する動作と閉塞する動作とを上記可動部材（２７ａ、２７ｂ）に実行させる開閉制御手段（１０１）とを備え、上記可動部材（２７ａ、２７ｂ）には糸状物を捕捉可能な切れ込みが形成される。この構成によれば、入球口（例えば第２始動口２２）に近接配置された可動部材（例えば羽根部材２７ａ、２７ｂ）が可動させられることによって、この可動部材に形成された切れ込みが、糸状物（例えば不正遊技球に取り付けられた釣り糸）に接触し、当該釣り糸を捕捉することができる。このことにより、釣り糸が取り付けられた不正遊技球を第２始動口２２に継続的に不正入賞させる不正行為を防止することができる。
【００６４】
また、上記開閉制御手段（１０１）は、上記可動部材（２７ａ、２７ｂ）を回動軸を中心に回動させることによって上記入球口（２２）を開放及び閉塞させてもよい。この構成によれば、可動部材（例えば羽根部材２７ａ、２７ｂ）が回動することによって当該可動部材に形成された切れ込みも回動し、回動する切れ込みが釣り糸を補足することにより、釣り糸による上記不正行為を防止することができる。
【００６５】
また、上記回動軸は、上記可動部材（２７ａ、２７ｂ）の基端部近傍に設けられ、上記切れ込みは、上記可動部材（２７ａ、２７ｂ）の先端部に形成されてもよい。この構成によれば、可動部材（例えば羽根部材２７ａ、２７ｂ）の基端部に比べて可動（回動）領域の大きい先端部に切れ込みが形成されているので、不正遊技球に取り付けられた釣り糸と当該切れ込みとが接触可能な領域が大きくなる。このことにより、可動部材の先端部に形成された切れ込みが、釣り糸をより捕捉しやすくなり、釣り糸による上記不正行為を防止することができる。
【００６６】
また、上記切れ込みは、上記可動部材（２７ａ、２７ｂ）の先端部から基端部に向かう方向（図３のＹ軸正方向）に形成されてもよい。この構成によれば、可動部材（例えば羽根部材２７ａ）が、開姿勢（例えば第２始動口２２を開放する姿勢；図３参照）から閉姿勢（例えば第２始動口２２を閉塞する姿勢；図４参照）に戻る途中で、可動部材の周辺に配置された釣り糸の一部の方向と、可動部材に形成された切れ込みの方向とが略平行になる。このことにより、可動部材が更に閉姿勢に戻ると、釣り糸は、当該可動部材に形成された切れ込み内に嵌りやすくなる。したがって、切れ込みが釣り糸をより捕捉しやすくなり、釣り糸による上記不正行為を防止することができる。
【００６７】
また、上記切れ込みは、上記可動部材（２７ａ、２７ｂ）の先端部から基端部（図３のＹ軸正方向）に向かうほど当該切れ込みの開口幅が狭くなる形状を有してもよい。この構成によれば、切れ込みの開口幅は可動部材（例えば羽根部材２７ａ）の先端部よりも基端部に向かうほど狭くなる。このことにより、釣り糸は、可動領域が大きく、開口部も大きな可動部材の先端部の切れ込みに最初に接触して当該切れ込みの内部に嵌った後に、可動部材の回動（閉姿勢に戻る姿勢変化）に伴って当該切れ込み内部において基端部側に誘導され、開口幅の狭くなった切れ込み内部において捕捉されて固定される。したがって、切れ込みが釣り糸をより抜けにくい状態で捕捉することができ、釣り糸による上記不正行為を防止することができる。
【００６８】
また、上記切れ込みは、上記可動部材（２７ａ、２７ｂ）が回動する方向（図３、図７のＺ軸方向）に当該可動部材（２７ａ、２７ｂ）を貫通して形成されてもよい。この構成によれば、可動部材（例えば羽根部材２７ａ）が、開姿勢（例えば第２始動口２２を開放する姿勢；図３参照）から閉姿勢（例えば第２始動口２２を閉塞する姿勢；図４参照）に戻る途中で釣り糸と接触する切れ込みの開口面積が大きいため、最初に釣り糸を切れ込みの内部に嵌り込ませることが容易となる。したがって、釣り糸をより捕捉しやすくなり、釣り糸による上記不正行為を防止することができる。
【００６９】
また、上記切れ込みは、上記開閉制御手段（１０１）によって上記入球口（２２）を閉塞させた上記可動部材（２７ａ、２７ｂ）が当該入球口（２２）を開放させるために回動する向き（図３、図１０のＺ軸正方向）に向かうほど当該切れ込みの開口幅が狭くなる形状を有してもよい。釣り糸は、可動部材（例えば羽根部材２７ａ）が、開姿勢（例えば第２始動口２２を開放する姿勢；図３参照）から閉姿勢（例えば第２始動口２２を閉塞する姿勢；図４）に戻る途中で、可動部材の回動の前方から後方に向かって接触していく。したがって、この構成によれば、釣り糸は可動部材の回動の前方にある開口部の大きな切れ込みに最初に接触して当該切れ込みの内部に嵌った後に、可動部材の回動（閉姿勢に戻る姿勢変化）に伴って当該切れ込み内部において可動部材の回動の後方側に誘導され、開口幅の狭くなった切れ込み内部において捕捉されて固定される。したがって、切れ込みが釣り糸をより抜けにくい状態で捕捉することができ、釣り糸による上記不正行為を防止することができる。
【符号の説明】
【００７０】
１    パチンコ遊技機
２１    第１始動口
２２    第２始動口
２５    ゲート
２７    電動チューリップ
２７ａ，２７ｂ    羽根部材
１０１    ＣＰＵ
【図１】
2013009905.tif 000003
【図２】
2013009905.tif 000004
【図３】
2013009905.tif 000005
【図４】
2013009905.tif 000006
【図５】
2013009905.tif 000007
【図６】
2013009905.tif 000008
【図７】
2013009905.tif 000009
【図８】
2013009905.tif 000010
【図９】
2013009905.tif 000011
【図１０】
2013009905.tif 000012
【図１１】
2013009905.tif 000013
【図１２】
2013009905.tif 000014